(57)【要約】【課題】装置本体に装着する際に損傷するのを抑制することが可能な紙粉回収部材およびそれを備えた画像形成装置を提供する。【解決手段】紙粉回収部材２０は、レジストローラー対１４の一方のローラー１４ａに接触して紙粉を回収するとともに、画像形成装置１本体に設けられた開口部５１を介してローラー１４ａの軸方向に平行な装着方向に沿って装着可能である。紙粉回収部材２０は、ローラー１４ａに付着した紙粉を除去する除去部材２１と、除去部材２１を保持する保持部材３０と、を備える。保持部材３０は、装着方向において除去部材２１よりも下流側に配置され、除去部材２１の上面２１ａを越えて高さ方向に突出した突出部３６を有する。【選択図】図７
2019085265.tif 000002
【特許請求の範囲】
【請求項１】
装置本体に配置され用紙をニップして搬送するローラー対の一方のローラーに接触して紙粉を回収するとともに、前記装置本体に設けられた開口部を介して前記ローラーの軸方向に平行な装着方向に沿って装着可能な紙粉回収部材であって、
前記ローラーの軸方向に延びるとともに、前記ローラーの外周面に接触して配置されることにより前記ローラーに付着した紙粉を除去する除去部材と、
前記除去部材を保持する保持部材と、
を備え、
前記除去部材は、前記ローラーの外周面に接触する接触面を有し、
前記保持部材は、前記装着方向において前記除去部材よりも下流側に配置され、前記装着方向と直交する高さ方向に突出した突出部を有し、
前記突出部は、前記高さ方向において前記除去部材の前記接触面を越えて突出していることを特徴とする紙粉回収部材。
【請求項２】
前記突出部は、前記装着方向の下流側に向かって下方に傾斜する第１傾斜面を有することを特徴とする請求項１に記載の紙粉回収部材。
【請求項３】
前記保持部材には、前記保持部材の先端面の下端縁から前記装着方向の上流側に向かって下方に傾斜する下部傾斜面が設けられていることを特徴とする請求項２に記載の紙粉回収部材。
【請求項４】
前記突出部は、前記第１傾斜面に対して前記装着方向の上流側に配置され、前記装着方向の上流側に向かって下方に傾斜する第２傾斜面をさらに有することを特徴とする請求項３に記載の紙粉回収部材。
【請求項５】
前記下部傾斜面の前記装着方向の上流端は、前記第２傾斜面の前記装着方向の下流端よりも前記装着方向の上流側に配置されていることを特徴とする請求項４に記載の紙粉回収部材。
【請求項６】
前記第２傾斜面の前記保持部材の下面に対する傾斜角は、前記下部傾斜面の前記保持部材の下面に対する傾斜角に比べて大きいことを特徴とする請求項５に記載の紙粉回収部材。
【請求項７】
前記突出部は、前記第２傾斜面と前記第１傾斜面との間に配置される水平面をさらに有し、
前記除去部材の前記下流端は、前記装着方向と直交する側方から見て前記水平面の下方に配置されていることを特徴とする請求項４〜６のいずれか１項に記載の紙粉回収部材。
【請求項８】
前記突出部は、前記除去部材の前記下流端よりも前記装着方向の上流側の位置から下流側に配置されていることを特徴とする請求項１〜７のいずれか１項に記載の紙粉回収部材。
【請求項９】
請求項１〜８のいずれか１項に記載の紙粉回収部材と、
前記紙粉回収部材によって紙粉が除去される前記ローラーを含む前記ローラー対と、
前記ローラーに沿って配置され、前記紙粉回収部材を案内するガイド部材と、
を備えることを特徴とする画像形成装置。
【請求項１０】
前記ガイド部材に対して前記装着方向の上流側に配置され、前記紙粉回収部材が通過可能な前記開口部を有する側壁部材をさらに備え、
前記開口部の下縁部は、前記ガイド部材の前記紙粉回収部材を支持する底面よりも下方に配置されていることを特徴とする請求項９に記載の画像形成装置。
【発明の詳細な説明】
【技術分野】
【０００１】
本発明は、紙粉回収部材およびそれを備えた画像形成装置に関し、特に、ローラーに付着した紙粉を回収する紙粉回収部材およびそれを備えた画像形成装置に関するものである。
【背景技術】
【０００２】
従来、電子写真プロセスを用いた画像形成装置においては、現像装置を用いて感光体ドラム等の像担持体上に形成された静電潜像を可視化し、その可視像（トナー像）を用紙上に転写した後、定着処理を行うプロセスが一般的である。
【０００３】
用紙は、ローラーを用いて用紙搬送路を搬送される。この際、用紙とローラーとの間の摩擦により紙粉が発生する。特に、用紙の斜行を補正するとともに画像形成タイミングに合わせて画像形成部に用紙を搬送するレジストローラー対は、用紙を強い力でニップする必要があるので、紙粉を発生させやすい。紙粉がレジストローラー対の外周面に付着した状態では、レジストローラー対の搬送力が低下して用紙ジャムが発生したり、紙粉が画像形成部に移動して画像不具合が発生したりする。
【０００４】
そこで、レジストローラー対の外周面に接触してレジストローラー対の外周面の紙粉を回収する紙粉回収部材を設けた画像形成装置が知られている。例えば、紙粉回収部材は、レジストローラー対の一方のローラーの外周面に接触して紙粉を除去するスポンジからなる除去部材と、除去部材が貼り付けられた保持部材と、によって構成される。保持部材には、除去部材により除去された紙粉を受ける紙粉受け部が設けられる。
【０００５】
この画像形成装置では、紙粉回収部材に回収された紙粉が装置内に落下すると、上記と同様の不具合（用紙ジャムや画像不具合など）が生じる。このため、例えば、所定期間経過時に紙粉回収部材はレジストローラー対の軸方向に引き出され、新しい紙粉回収部材に交換される。
【０００６】
なお、レジストローラー対の外周面の紙粉を回収する紙粉回収部材を備えた画像形成装置は、例えば特許文献１に開示されている。
【先行技術文献】
【特許文献】
【０００７】
【特許文献１】特開２０１７−１８７５号公報
【発明の概要】
【発明が解決しようとする課題】
【０００８】
しかしながら、従来の画像形成装置では、紙粉回収部材の交換時に新しい紙粉回収部材を装置本体に挿入する際に、除去部材の先端（挿入方向の下流端）が装置本体に設けられた開口部等に接触して、除去部材自体が損傷したり、除去部材が保持部材から剥がれたりする場合があるという問題点があった。
【０００９】
本発明は、上記のような課題を解決するためになされたものであり、本発明の目的は、装置本体に装着する際に損傷するのを抑制することが可能な紙粉回収部材およびそれを備えた画像形成装置を提供することである。
【課題を解決するための手段】
【００１０】
上記目的を達成するために、本発明の第１の局面の紙粉回収部材は、装置本体に配置され用紙をニップして搬送するローラー対の一方のローラーに接触して紙粉を回収するとともに、装置本体に設けられた開口部を介してローラーの軸方向に平行な装着方向に沿って装着可能である。紙粉回収部材は、ローラーの軸方向に延びるとともに、ローラーの外周面に接触して配置されることによりローラーに付着した紙粉を除去する除去部材と、除去部材を保持する保持部材と、を備える。除去部材は、ローラーの外周面に接触する接触面を有する。保持部材は、装着方向において除去部材よりも下流側に配置され、装着方向と直交する高さ方向に突出した突出部を有し、突出部は、高さ方向において除去部材の接触面を越えて突出している。
【発明の効果】
【００１１】
本発明の第１の局面の紙粉回収部材によれば、保持部材は、装着方向において除去部材よりも下流側に配置され、装着方向と直交する高さ方向に突出した突出部を有し、突出部は、高さ方向において除去部材の接触面を越えて突出している。これにより、紙粉回収部材の交換時に新しい紙粉回収部材を装置本体に挿入する際に、突出部が除去部材の先端（挿入方向の下流端）を保護し、除去部材の先端が装置本体の開口部等に接触するのを抑制することができる。このため、除去部材自体が損傷したり、除去部材が保持部材から外れたりするのを抑制することができる。
【図面の簡単な説明】
【００１２】
【図１】本発明の一実施形態の紙粉回収部材を備えた画像形成装置の構造を概略的に示した断面図である。
【図２】本発明の一実施形態の紙粉回収部材周辺の構造を示した断面図である。
【図３】本発明の一実施形態の紙粉回収部材の構造を示した図である。
【図４】本発明の一実施形態の紙粉回収部材の保持部材の突出部周辺の構造を示した斜視図である。
【図５】本発明の一実施形態の紙粉回収部材の保持部材の突出部周辺の構造を示した斜視図である。
【図６】本発明の一実施形態の紙粉回収部材の突出部周辺の構造を示した斜視図である。
【図７】本発明の一実施形態の紙粉回収部材の突出部周辺の構造を示した斜視図である。
【図８】本発明の一実施形態の紙粉回収部材の突出部周辺の構造を示した図である。
【図９】本発明の一実施形態の紙粉回収部材を画像形成装置本体に装着している途中の状態を示した図である。
【図１０】本発明の一実施形態の紙粉回収部材を側壁部材の開口部に挿入している状態を示した斜視図である。
【図１１】本発明の一実施形態の変形例の紙粉回収部材周辺の構造を示した断面図である。
【発明を実施するための形態】
【００１３】
以下、本発明の実施形態について図面を参照して説明する。
【００１４】
図１〜図１０を参照して、本発明の一実施形態による紙粉回収部材２０を備えた画像形成装置１について説明する。なお、図１では、左側を画像形成装置１の前方として図示している。図１に示すように、画像形成装置１（ここではモノクロプリンター）内には画像形成部Ｐが配設されている。この画像形成部Ｐは、帯電、露光、現像及び転写の各工程により所定の画像を形成する。
【００１５】
画像形成部Ｐには、可視像（トナー像）を担持する感光体ドラム（像担持体）２が配設されており、感光体ドラム２上に形成されたトナー像が、用紙６上に転写され、さらに、定着器１３において用紙６上に定着された後、画像形成装置１本体より排出される構成となっている。不図示のドラム駆動モーターにより感光体ドラム２を図１において反時計回りに回転させながら、感光体ドラム２に対する画像形成プロセスが実行される。
【００１６】
次に、画像形成部Ｐについて詳細に説明する。回転可能に配設された感光体ドラム２の周囲及び前方（図１では左側）には、感光体ドラム２に対して帯電を行う帯電ローラー３と、感光体ドラム２に画像情報を露光する露光ユニット４と、感光体ドラム２上にトナー像を形成する現像ユニット５と、感光体ドラム２上に残留した現像剤（トナー）を回収するクリーニング装置９と、静電潜像を除去する除電器１０と、が設けられている。
【００１７】
先ず、帯電ローラー３によって感光体ドラム２の表面を一様に帯電させ、次いで露光ユニット４によって光照射し、感光体ドラム２上に画像信号に応じた静電潜像を形成する。現像ユニット５は、感光体ドラム２と対向して配置された現像ローラー５ａを有し、現像ユニット５には、磁性一成分の正帯電トナーがトナーコンテナ１１によって所定量充填されている。このトナーは、現像ローラー５ａにより感光体ドラム２表面に供給され、静電的に付着することにより、露光ユニット４からの露光により形成された静電潜像に応じたトナー像が形成される。
【００１８】
トナー像が転写される用紙６は、用紙６を収納する給紙カセット１２に収容されており、給紙ローラー７、レジストローラー対（ローラー対）１４を介して、トナー像が形成された感光体ドラム２に向けて搬送される。そして、感光体ドラム２の下部において、所定の転写バイアスが印加された転写ローラー１７で電界付与することにより、感光体ドラム２上のトナー像が用紙６上に転写される。
【００１９】
トナー像が転写された用紙６は、定着器１３へと搬送される。また、トナー像が転写された後の感光体ドラム２は、引き続き行われる新たな静電潜像の形成に備え、その表面に残留したトナーがクリーニング装置９により回収される。定着器１３に搬送された用紙６は、定着ローラー１３ａおよび加圧ローラー１３ｂにより加熱及び加圧されてトナー像が用紙６の表面に定着され、所定の画像が形成される。画像が形成された用紙６は、その後排出ローラー対１８によって排出トレイ１９に排出される。
【００２０】
次に、レジストローラー対１４周辺の構造について詳細に説明する。
【００２１】
レジストローラー対１４は、駆動ローラーであるとともに例えば鉄からなる金属ローラーと従動ローラーであるゴムローラーとを用いて構成されており、２つのローラーが互いに平行に配置されて圧接されることによりニップ部を形成している。レジストローラー対１４は、ニップ部に用紙６の先端が当接されることにより、用紙６の斜行を補正する。また、レジストローラー対１４は、不図示の駆動モーターにより回転されることにより、画像形成タイミングに合わせて画像形成部Ｐに用紙６を搬送する。
【００２２】
図２に示すように、レジストローラー対１４の一方のローラー１４ａ（例えば金属ローラー）の下方には、ローラー１４ａに接触して紙粉を回収する紙粉回収部材２０が設けられている。紙粉回収部材２０は、ローラー１４ａの軸方向（図２の紙面に対して垂直方向）に延びるとともに、画像形成装置１本体に対してローラー１４ａの軸方向に沿って着脱可能に形成されている。
【００２３】
紙粉回収部材２０は、ローラー１４ａの外周面に接触して配置されることによりローラー１４ａに付着した紙粉を回収するスポンジ等からなる除去部材２１と、除去部材２１を保持する樹脂製の保持部材３０と、を含む。除去部材２１は、ローラー１４ａの軸方向に延びる直方体形状に形成されているとともに、保持部材３０に接着固定されている。除去部材２１の上面（接触面）２１ａは、ローラー１４ａの外周面に接触して紙粉を回収する回収面である。
【００２４】
保持部材３０は図３に示すように、ローラー１４ａの軸方向（矢印ＡＡ´方向）に延びるとともに除去部材２１を保持する保持部３１と、保持部３１に対して矢印Ａ´方向（紙粉回収部材２０の画像形成装置１本体に対する装着方向の上流側）に配置され作業者によって把持される把持部３２と、保持部３１に対して矢印Ａ方向（装着方向の下流側）に配置され画像形成装置１本体に対して位置決めされるボス部３３と、を有する。把持部３２は、保持部材３０の装着方向の上流側端部に設けられている。
【００２５】
保持部３１は、レジストローラー対１４に平行で水平に延びるように形成されている。保持部３１は図２、図４および図５に示すように、除去部材２１が取り付けられる取付面３１ａと、取付面３１ａの図２の左側（レジストローラー対１４のニップ部から遠ざかる方向）に連続して設けられた凹部３１ｂと、凹部３１ｂの図２の左側に連続して設けられた側面３１ｃと、を有する。
【００２６】
側面３１ｃには図２、図６および図７に示すように、樹脂フィルム３４が貼り付けられている。そして、樹脂フィルム３４および凹部３１ｂによって、除去部材２１がローラー１４ａから除去した紙粉を受ける紙粉受け部３５が構成されている。なお、理解を容易にするために、図６では樹脂フィルム３４を二点鎖線で示し、図３および図９では樹脂フィルム３４を省略している。
【００２７】
ここで、保持部材３０の装着方向の下流側端部には、上方（装着方向と直交する高さ方向）に突出する突出部３６が設けられている。突出部３６は図８に示すように、除去部材２１の少なくとも下流端２１ｂから装着方向の下流側（図８の右側）に配置される。すなわち、突出部３６の装着方向の下流端３６ｅは、除去部材２１の下流端２１ｂよりも装着方向の下流側に配置される。また、突出部３６は、除去部材２１の上面２１ａよりも上方に突出する。本実施形態では、突出部３６は、除去部材２１の下流端２１ｂよりも装着方向の上流側（図８の左側）の位置から下流側に配置されている。
【００２８】
突出部３６は、装着方向の下流側端部に設けられ装着方向の下流側（図８の右側）に向かって下方に傾斜する第１傾斜面３６ａと、第１傾斜面３６ａに対して装着方向の上流側（図８の左側）に配置され装着方向の上流側に向かって下方に傾斜する第２傾斜面３６ｂと、第２傾斜面３６ｂおよび第１傾斜面３６ａの間に配置される水平面３６ｃと、を備える山形状を有する。
【００２９】
除去部材２１の装着方向の下流端２１ｂは、装着方向と直交する側方（図８の紙面に対して垂直方向）から見て突出部３６の上面（第１傾斜面３６ａ、第２傾斜面３６ｂおよび水平面３６ｃ）の下方に配置されている。本実施形態では、除去部材２１の下流端２１ｂは、装着方向と直交する側方から見て水平面３６ｃの下方に配置されている。
【００３０】
また、保持部材３０には、保持部材３０の装着方向の下流側端部（先端面３０ｂ）の下端縁から装着方向の上流側に向かって下方に傾斜する下部傾斜面３７が設けられている。下部傾斜面３７の装着方向の上流端３７ａは、第２傾斜面３６ｂの装着方向の下流端３６ｄよりも装着方向の上流側（図８の左側）に配置されている。また、保持部材３０の下面３０ａ（保持部３１の下面）に対する第２傾斜面３６ｂの傾斜角θ３６ｂは、保持部材３０の下面３０ａに対する下部傾斜面３７の傾斜角θ３７に比べて大きい。
【００３１】
また、図２および図９に示すように、紙粉回収部材２０を案内するガイド部材４０がローラー１４ａに沿って設けられている。ガイド部材４０は、紙粉回収部材２０を支持する支持面（底面）４１ａを有する底面部４１と、底面部４１の図２の右端（レジストローラー対１４のニップ部に近づく方向の端縁）から立設される側面部４２と、底面部４１の図２の左端から立設される側面部４３と、を有する。図９に示すように、底面部４１の矢印Ａ´方向の端部には、紙粉回収部材２０を誘い込む傾斜部４４が設けられている。
【００３２】
また、図９に示すように、レジストローラー対１４およびガイド部材４０に対して装着方向の上流側（矢印Ａ´方向）には、紙粉回収部材２０が通過可能な開口部５１を有する側壁部材５０（図１０も参照）が設けられている。開口部５１の下縁部５１ａは、ガイド部材４０の支持面４１ａよりも少しだけ下方に配置されている。
【００３３】
この画像形成装置１では、作業者が紙粉回収部材２０を交換する場合、紙粉回収部材２０はガイド部材４０に沿って矢印Ａ´方向に引き出される。その後、新品の紙粉回収部材２０が側壁部材５０の開口部５１に挿入される。このとき、第１傾斜面３６ａおよび下部傾斜面３７により紙粉回収部材２０の先端部が開口部５１に誘い込まれる。また、除去部材２１の先端（下流端２１ｂ）は、突出部３６により保護されているため、開口部５１の上縁部５１ｂに当接しない。
【００３４】
そして、紙粉回収部材２０は、下面３０ａが開口部５１の下縁部５１ａに沿って挿入され、ガイド部材４０の傾斜部４４によって底面部４１に案内される。その後、紙粉回収部材２０は、底面部４１、側面部４２および側面部４３に沿って挿入され、ボス部３３が画像形成装置１本体に設けられた位置決め穴（図示せず）に挿入されることによって、位置決めされる。このようにして、紙粉回収部材２０が画像形成装置１本体に装着される。
【００３５】
本実施形態では、上記のように、保持部材３０は、装着方向において除去部材２１よりも下流側に配置され上方に突出した突出部３６を有し、突出部３６は、除去部材２１の上面２１ａを越えて上方に突出している。これにより、紙粉回収部材２０の交換時に新しい紙粉回収部材２０を画像形成装置１本体に挿入する際に、突出部３６が除去部材２１の先端（挿入方向の下流端２１ｂ）を保護し、除去部材２１の先端が画像形成装置１本体の開口部５１に接触するのを抑制することができる。このため、除去部材２１自体が損傷したり、除去部材２１が保持部材３０から剥がれたりするのを抑制することができる。
【００３６】
また、上記のように、突出部３６は、装着方向の下流側に向かって下方に傾斜する第１傾斜面３６ａを有する。これにより、紙粉回収部材２０の挿入時に第１傾斜面３６ａによって画像形成装置１本体の開口部５１の内部へ案内されるので、紙粉回収部材２０を画像形成装置１本体の開口部５１に挿入しやすくすることができる。
【００３７】
また、上記のように、保持部材３０には、保持部材３０の装着方向の先端面３０ｂの下端縁から装着方向の上流側に向かって下方に傾斜する下部傾斜面３７が設けられている。これにより、紙粉回収部材２０を画像形成装置１本体の開口部５１に、より挿入しやすくすることができる。
【００３８】
また、上記のように、下部傾斜面３７の上流端３７ａは、第２傾斜面３６ｂの下流端３６ｄよりも装着方向の上流側（矢印Ａ´方向）に配置されている。すなわち、保持部材３０の最下位置にある下面３０ａと突出部３６の最上位置にある水平面３６ｃとは、装着方向においてオーバーラップしていない。これにより、下部傾斜面３７の上流端３７ａが第２傾斜面３６ｂの下流端３６ｄよりも装着方向の下流側（矢印Ａ方向）に配置されている場合（下面３０ａと水平面３６ｃとが装着方向においてオーバーラップしている場合）と異なり、装着方向の各位置における保持部材３０の上下方向の長さを、下面３０ａから水平面３６ｃまでの高さよりも小さくすることができるので、紙粉回収部材２０が画像形成装置１本体の開口部５１に挿入しにくくなるのを抑制することができる。
【００３９】
また、上記のように、第２傾斜面３６ｂの保持部材３０の下面３０ａに対する傾斜角θ３６ｂは、下部傾斜面３７の保持部材３０の下面３０ａに対する傾斜角θ３７に比べて大きい。これにより、装着方向の各位置における保持部材３０の上下方向の長さは第２傾斜面３６ｂの下流端３６ｄにおいて最大となる。すなわち、紙粉回収部材２０を画像形成装置１本体の開口部５１に挿入する際に第２傾斜面３６ｂの下流端３６ｄが開口部５１を通過した後は、保持部材３０と開口部５１との隙間が徐々に大きくなるので、紙粉回収部材２０を開口部５１に、より挿入しやすくすることができる。
【００４０】
また、上記のように、突出部３６は、第２傾斜面３６ｂと第１傾斜面３６ａとの間に配置される水平面３６ｃを有し、除去部材２１の下流端２１ｂは、装着方向と直交する側方から見て水平面３６ｃの下方に配置されている。これにより、除去部材２１の貼り付け位置が長手方向（矢印ＡＡ´方向）に少しずれた場合であっても、突出部３６により除去部材２１の先端を確実に保護することができる。
【００４１】
また、上記のように、突出部３６は、除去部材２１の下流端２１ｂよりも装着方向の上流側の位置から下流側に配置されている。これにより、突出部３６により除去部材２１の先端をより確実に保護することができる。
【００４２】
また、上記のように、開口部５１の下縁部５１ａは、ガイド部材４０の紙粉回収部材２０を支持する支持面４１ａよりも下方に配置されている。これにより、突出部３６が開口部５１を通過した後に、ガイド部材４０により紙粉回収部材２０が上方に移動するので、突出部３６が開口部５１の上縁部５１ｂに当接するのを抑制することができる。このため、紙粉回収部材２０を開口部５１に、より挿入しやすくすることができる。
【００４３】
また、レジストローラー対１４は紙粉を特に発生させやすいので、上記のように、レジストローラー対１４の紙粉を除去するために本発明の紙粉回収部材２０を設けることは、特に有効である。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
例えば、モノクロプリンターに本発明を適用した例について示したが、本発明はこれに限らない。言うまでもなく、カラープリンター、モノクロ複写機、デジタル複合機、ファクシミリ等の、用紙を搬送するローラー対と、ローラー対に付着した紙粉を回収する紙粉回収部材と、を備えた種々の画像形成装置に本発明を適用できる。
【００４６】
また、上記実施形態では、レジストローラー対に付着した紙粉を回収するように構成した例を示したが、本発明はこれに限らず、レジストローラー対以外の搬送ローラー対に付着した紙粉を回収するように構成してもよい。
【００４７】
また、上記実施形態では、突出部３６を、除去部材２１の下流端２１ｂよりも装着方向の上流側の位置から下流側に設ける例について示したが、本発明はこれに限らない。突出部３６を、除去部材２１の下流端２１ｂから下流側に設けてもよい。
【００４８】
また、上記実施形態では、保持部材３０に第１傾斜面３６ａ、第２傾斜面３６ｂおよび下部傾斜面３７を設ける例について示したが、本発明はこれに限らない。第１傾斜面３６ａ、第２傾斜面３６ｂおよび下部傾斜面３７のうちの１つ以上を設けなくてもよい。
【００４９】
また、上記実施形態では、突出部３６に水平面３６ｃを設ける例について示したが、突出部３６に水平面３６ｃを設けなくてもよい。
【００５０】
また、例えば図１１に示した本発明の変形例のようにガイド部材４０を構成してもよい。すなわち、ガイド部材４０の少なくとも装着方向の上流側端部に、突出部３６の上端位置を規制する上面部４５を設けてもよい。このように構成すれば、突出部３６がガイド部材４０に到達した後に、紙粉回収部材２０の先端部（装着方向の下流側端部）が上方に移動するのを規制することができる。このため、除去部材２１の先端（下流端２１ｂ）がローラー１４ａの端部に強く当接するのを抑制することができる。なお、上面部４５を、ガイド部材４０の長手方向全体に設けてもよい。
【００５１】
また、上述した実施形態および変形例の構成を適宜組み合わせて得られる構成についても、本発明の技術的範囲に含まれる。
【符号の説明】
【００５２】
１  画像形成装置
６  用紙
１４  レジストローラー対（ローラー対）
１４ａ  ローラー
２０  紙粉回収部材
２１  除去部材
２１ａ  上面（接触面）
２１ｂ  下流端
３０  保持部材
３０ａ  下面
３０ｂ  先端面
３６  突出部
３６ａ  第１傾斜面
３６ｂ  第２傾斜面
３６ｃ  水平面
３６ｄ  下流端
３７  下部傾斜面
３７ａ  上流端
４０  ガイド部材
４１ａ  支持面（底面）
４５  上面部
５０  側壁部材
５１  開口部
５１ａ  下縁部
θ３６ｂ、θ３７  傾斜角
【図１】
2019085265.tif 000003
【図２】
2019085265.tif 000004
【図３】
2019085265.tif 000005
【図４】
2019085265.tif 000006
【図５】
2019085265.tif 000007
【図６】
2019085265.tif 000008
【図７】
2019085265.tif 000009
【図８】
2019085265.tif 000010
【図９】
2019085265.tif 000011
【図１０】
2019085265.tif 000012
【図１１】
2019085265.tif 000013